(57)【要約】      （修正有）【課題】災害時などに備えた畳の代替えとしても使用できる紙ボードであり、、平常時はコンパクトに収納でき、災害時には目的地に移送しやすい紙ボードを提供する。【解決手段】段ボール紙又は厚紙からなる板紙により、使用時に平面がハニカム構造又は升目構造の桟部材２と、桟部材上部を覆う平面覆部３ａ、平面覆部の両側を直角に曲げて桟部材の側面を接続して覆う側面覆部３ｂを有する桟部材覆部材３とからなる紙ボード１であって、桟部材覆部材の一方の側面覆部と、桟部材の幅方向の側部の一方のみをあらかじめ接着し、使用前には、桟部材は、側部から圧縮して、ハニカム構造又は升目構造を密着圧縮し、桟部材覆部材は、その桟部材に巻きつけて保管できるようにした。【選択図】図１
0003197727.tif 000002
【実用新案登録請求の範囲】
【請求項１】
段ボール紙又は厚紙からなる所望の幅を有する板紙により、使用時に平面がハニカム構造又は升目構造の桟部材と、使用時に前記桟部材上部を覆う平面覆部、この平面覆部の両側を直角に曲げて前記桟部材の側面を接続して覆う側面覆部を有する桟部材覆部材とからなる紙ボードであって、
前記桟部材覆部材の一方の側面覆部と、前記桟部材の幅方向の側部の一方のみをあらかじめ接着されてなる接着部を設け、
前記桟部材は、使用前には、側部から圧縮して、前記ハニカム構造又は升目構造を密着圧縮し、前記桟部材覆部材は、使用前に前記桟部材を巻きつけて保管できるようにしたことを特徴とする紙ボード。
【請求項２】
前記桟部材覆部材は、密着圧縮された前記桟部材を巻きつけ易くするために、巻きつけ方向と直行する方向にあらかじめ折筋を設けてなることを特徴とする前記請求項１記載の紙ボード。
【請求項３】
前記桟部材覆部材における側面覆部は、使用時に、前記桟部材の側部との接着部ではない他方の側面覆部と、前記桟部材の側部をＵ字状の紙製の綴じ部材で接続することを特徴とする前記請求項１乃至２記載の紙ボード。
【考案の詳細な説明】
【技術分野】
【０００１】  本考案は折り畳みが可能で、収納性や可搬性にすぐれた畳の代替えとしても使用できる紙ボードに関するものである。
【背景技術】
【０００２】  古来、畳は日本独特の床材であり、昔の家屋には必ず和室があり、和室には畳が敷かれていたが、近年では生活スタイルが多様化するにつれ、洋式の家屋が増え、マンションなど集合住宅には和室の無い間取りも散見されるようになった。【０００３】  しかし、洋式生活になじんだ日本人にとっても、たまには畳が恋しくなることもあり、生け花や茶の湯などをたしなむ際、和室の無い家屋においてもフローリングの一部に畳を敷きたい場合がある。【０００４】  上記のようなレアケースの為に普通の畳を所有することは、只でもせまいマンション生活者にとってもスペースの無駄であり、現実的でない。しかし、畳は床との間に適度なスペースも確保されており保温性にもすぐれており、災害時にも畳の代替え出来得るものが求められている。
【先行技術文献】
【特許文献】
【０００５】
【特許文献１】特開２００２−２８２０９３号公報
【特許文献２】特開平１１−１２４９８６号公報
【考案の概要】
【考案が解決しようとする課題】
【０００６】  特許文献１は、常時は扁平状態を維持し、外力によりハニカム状に展開する紙筒集合体（ハニカム構造体）と、中央から二つに折畳み可能で、折畳み方向の両端部を屈曲可能な屈曲片として、該屈曲片を前記紙筒集合体２の展開方向の両側面に接合させた板状体とから構成し、板状体の拡開に応じて紙筒集合体２を展開させて、これを座布団代わりに使用することで、十分なるクッション性および断熱性、携帯性および取扱い性を有する、利便性の高い簡易敷物を提供する。【０００７】  特許文献２は、床材として、長さ方向に並列して延びる多数の鎖編目列を繋結してなる経編地を表編地とし、多数の多角形状編目孔を有する粗目組織からなる経編地を裏編地として両編地を互いに間隔を存して対向せしめ、多角形状編目孔編成組織部分において、両経編地を叢立した多数の連結糸により連結せしめた裏面ハニカム構造編地を用い、その表編地表面に畳表１を貼着一体化して敷物畳を構成することにより和風畳風で、敷物様の取扱いができ、しかも軽量で柔軟屈曲性に富み、運搬、敷設に有利な敷物畳を提供する。【０００８】  特許文献１は、畳ではなく座布団状の敷物であり、折り畳みも全体を二つ折りにするのみなので、利便性に優れたところがあるにせよ、大型の畳として採用した場合には収納上問題があった、また大量に移送させるにも問題があった。
特許文献２は、畳として柔軟性屈曲性を謳っているが、これは材質によるものであって具体的な折り畳み方法が開示されていない。本考案は、収納性に優れまた、いつでも簡単に敷くことができる紙ボードを提供することを目的とするものである。
【課題を解決するための手段】
【０００９】  この問題を解決するため、本考案の請求項１は、段ボール紙又は厚紙からなる板紙により、使用時に平面がハニカム構造又は升目構造の桟部材と、使用時に前記桟部材上部を覆う平面覆部、この平面覆部の両側を直角に曲げて前記桟部材の側面を接続して覆う側面覆部を有する桟部材覆部材とからなる紙ボードであって、
桟部材覆部材の一方の側面覆部と、桟部材の幅方向の側部の一方のみをあらかじめ接着されてなる接着部を設け、
また桟部材は、使用前には、側部から圧縮して、ハニカム構造又は升目構造を密着圧縮し、そして桟部材覆部材は、使用前に桟部材を巻きつけて保管できるようにした。【００１０】  請求項２において、桟部材覆部材は、密着圧縮された桟部材を巻きつけ易くするために、巻きつけ方向と直行する方向にあらかじめ折筋を設けてなるものである。【００１１】  また請求項３では、桟部材覆部材における側面覆部は、使用時に、桟部材の側部との接着部ではない他方の側面覆部と、桟部材の側部をＵ字状の紙製の綴じ部材で接続ようにした。こうすることで廃棄時に金具やプラスティックなど環境問題にも考慮した。
【考案の効果】
【００１２】  これにより、平常時に狭いスペースに大量の紙ボードを収納保管ができ、移送の際も大量に畳を供給できる。また、災害時の使用の際も会社や体育館などで簡単に畳が敷け、社会的にも万全の備えが確立できる。
【図面の簡単な説明】
【００１３】
【図１】本発明の一実施例を示す紙ボードの収納状態及び使用する際の状態を示す説明図。
【図２】本発明の一実施例を示す紙ボードの使用時の底面説明図。
【図３】本発明の一実施例を示す紙ボードの側面覆部と桟部材の接続状態説明図。
【図４】本発明の一実施例を示す紙ボードの使用時の平面説明図。
【図５】本発明の他の桟部材の実施例を示す説明図。
【考案を実施するための形態】
【００１４】    次に、図面に基づいて本考案を詳細に説明する。紙ボード１は、段ボール紙又は厚紙から構成される。畳の厚さを構成するために適度な幅の板紙を貼りつけ、使用時に平面がハニカム構造の桟部材２と、使用時に前記桟部材上部を覆う平面覆部３ａ、この平面覆部３ａの両側を直角に曲げて前記桟部材の側面を接続して覆う側面覆部３ｂを有する桟部材覆部材３とからなる紙ボード１であって、桟部材覆部材３の一方の側面覆部３ｂと、桟部材２の幅方向の側部の一方のみをあらかじめ接着されてなる接着部７を設け、また桟部材２は、使用前には、側部から圧縮して、ハニカム構造を密着圧縮し、そして桟部材覆部材３は、使用前に桟部材２を巻きつけて保管できるようにしてなる（図１参照）。
【００１５】紙ボード１は、使用前は、図１（Ａ）に示されるように、平常時の不使用時は、四角柱状にコンパクトに収納されている。桟部材覆部材３は、密着圧縮された桟部材２を巻きつけ易くするために、巻きつけ方向と直行する方向にあらかじめ折筋５を設けているので桟部材２を桟部材覆部材３しっかりと四角柱に巻きつけることができる。
【００１６】  紙ボード１の使用時は、図１（Ｂ）に示されるように、瞬時に桟部材覆部材３を広げ、桟部材２を広げると図２に示されるようにハニカム構造の桟部材２が桟部材覆部材３上に配置される。そして、桟部材覆部材３の接着部７側でない、接続部６と桟部材２の側部をＵ字状の綴じ部材８で挟み込んで接続する。Ｕ字状の綴じ部材８は、図３に示されるように略Ｕ字状に紙材を固めたもので構成され桟部材２のハニカムの輪と側面覆部３ｂのエッジに挟み込み固定する。
【００１７】  このように紙ボード１は、すべてを紙製で構成することで、金属やプラスティックの材料を使用してないので廃棄する際は、綴じ部材などを都度除去することなく廃棄できる。
【００１８】  紙ボード１は、図４に示されるように、図２の状態の紙ボード１を裏返して、桟部材覆部材３上に乗って使用するが、広げられたハニカム構造の桟部材２の中央部が膨らみやすく、また図２中の上下が中央部に比較してへこみ易いので、使用者に中央部を使用してもらうようにガイド線１０を表示している。
【００１９】  また、上記実施例では、桟部材２を平面ハニカム構造で構成したが、図５に示されたように升目構造でもよくまた、杉綾状に密着できる。また密着できる構造であれば、これに限定されるものではない。
【産業上の利用可能性】
【００２０】  本考案の紙ボードは、昨今、案じられている大災害に備え、狭い場所にも大量に収納保管でき、しかも被災した被害者を災害場所に誘導し、簡単に畳が提供でき社会的にきわめて有益なものが提供できる。
【符号の説明】
【００２１】  １…紙ボード
２、９…桟部材
３…桟部材覆部材
３ａ…平面覆部
３ｂ…側面覆部
５…折筋
６…接続部
７…接着部
８…綴じ部材
１０…ガイド線
【図１】
0003197727.tif 000003
【図２】
0003197727.tif 000004
【図３】
0003197727.tif 000005
【図４】
0003197727.tif 000006
【図５】
0003197727.tif 000007